(57)【要約】【課題】光源の光を反射する反射面の数が少なくても、床面等を均一に照らすことができる照明装置用反射笠と、この反射笠を用いた照明装置を提供すること。【解決課題】光源２を取付け可能な取付部１１と、光源２が発する光を反射する反射部１２とを備えた反射笠１において、前記反射部１２が、光源２の光軸Ｃを囲むように並ぶ３以上の奇数の反射面１３を備え、各反射面１３が、反射光を光軸Ｃと交差させずに照射する第一反射素面（１３１、１３２）と、反射光を光軸Ｃと交差させて照射する第二反射素面（１３４、１３５、１３７）とを備えている。【選択図】図１
2010092612.tif 000002
【特許請求の範囲】
【請求項１】
光源を取付け可能な取付部と、該取付部に取り付けた光源が発する光を反射する反射部とを備えた照明装置用反射笠であって、
前記反射部が、前記光源の光軸を囲むように並ぶ３以上の奇数の反射面を備え、
前記各反射面が、前記光源が発する光の反射光を前記光軸と交差させずに照射する第一反射素面と、前記光源が発する光の反射光を前記光軸と交差させて照射する第二反射素面とを備えていることを特徴とした反射笠。
【請求項２】
前記反射面が、複数の前記第一反射素面と、複数の前記第二反射素面とを備えている請求項１に記載の反射笠。
【請求項３】
請求項１または請求項２に記載の反射笠と、該反射笠の取付部に取り付けられた光源とを備えたことを特徴とする照明装置。
【発明の詳細な説明】
【技術分野】
【０００１】
本発明は、照明装置用反射笠、及びこの反射笠を用いた照明装置に関する。
【背景技術】
【０００２】
従来、ハロゲンランプ等が発する高輝度光を反射笠で反射させて床面等を照らす照明装置として、下記の特許文献１に記載のものが知られている。この照明装置は、その反射笠が、形状の異なる反射面を多数組み合わせて構成されたものであり、多数の反射面による反射光を分散させることによって床面等を均一に照らすようにしている。
【０００３】
ところが、このように反射笠が反射面を数多く備えるほど、床面等をより均一に照らすことができるものの、その加工工程が増加して製造コストが上昇する難点があった。
【特許文献１】特開平１０−１８８６３０号公報
【発明の開示】
【発明が解決しようとする課題】
【０００４】
本発明は、従来の照明装置に上記のような難点があったことに鑑みて為されたもので、たとえ反射面の面数が少なくても、床面等を均一に照らすことができる照明装置用反射笠と、この反射笠を用いた照明装置を提供することを課題とする。
【課題を解決するための手段】
【０００５】
本発明に係る反射笠は、光源を取付け可能な取付部と、該取付部に取り付けた光源が発する光を反射する反射部とを備えた照明装置用反射笠であって、前記反射部が、前記光源の光軸を囲むように並ぶ３以上の奇数の反射面を備え、前記各反射面が、前記光源が発する光の反射光を前記光軸と交差させずに照射する第一反射素面と、前記光源が発する光の反射光を前記光軸と交差させて照射する第二反射素面とを備えていることを特徴としている。
【０００６】
また、本発明に係る反射笠は、前記反射面が、複数の前記第一反射素面と、複数の前記第二反射素面とを備えていることを特徴としている。
【０００７】
また、本発明に係る照明装置は、上記の反射笠と、この反射笠の取付部に取り付けられた光源とを備えたことを特徴としている。
【発明の効果】
【０００８】
本発明に係る反射笠及び照明装置によれば、光源の光を反射する反射部が、光源の光軸を囲んで並ぶ３以上の奇数の反射面を備えるとともに、各反射面が、反射光を光軸と交差させずに照射する第一反射素面と、反射光を光軸と交差させて照射する第二反射素面とを備えているので、これら反射素面による反射光をより効果的に分散させることができ、たとえ反射面の面数が少なくても、床面等を均一に照らすことができる。
【０００９】
また、各反射面が複数の第一反射素面と、複数の第二反射素面とを備えた反射笠及び照明装置によれば、より多くの反射光を分散させて床面等へ照射することができ、床面等をより均一に照らすことができる。
【発明を実施するための最良の形態】
【００１０】
本実施形態の照明装置１０は、図１に示すように、反射笠１と、光源２と、反射笠１に光源２を取り付けるための支持具３と、反射笠１を天井等に吊り下げるための吊下具４と、反射笠１を覆うセード５とから構成されている。
【００１１】
反射笠１は、図１〜図６に示すように、光源２を取付け可能な取付部１１と、この取付部１１に取り付けた光源２が発する光を反射する反射部１２とから構成されている。取付部１１は、反射部１２の基端部に開設された取付開口部１１０を有しており、また、反射部１２の先端部には、光源２の直接光および反射光を床面等へ放射するための放射開口部１２０が形成されている。
【００１２】
本実施形態の反射部１２は、光源２の光軸Ｃ（図１参照）に対し軸対称に形成されている。即ち、本実施形態の反射部１２は、図６の底面図に示すように、光軸Ｃを囲むように並ぶ計２１列の同形状の反射面１３を備えており、光軸Ｃに垂直な横断面形状が正２１角形状に形成されている。そして、取付部１１の取付開口部１１０及び放射開口部１２０の横断面形状も正２１角形状に形成されている。
【００１３】
そして、反射部１２の各反射面１３は、図１に示すように、光源２が発する光の反射光を光軸Ｃと交差させずに床面等に向けて照射する複数の第一反射素面（１３１、１３２）と、光源２が発する光の反射光を光軸Ｃと交差させて床面等に向けて照射する複数の第二反射素面（１３４、１３５、１３７）とを備えている。即ち、本実施形態の反射面１３は、光軸Ｃに沿って上記取付部１１側から順に並ぶ、傾斜角度がそれぞれ異なる計７段の反射素面１３１〜１３７を備えており、図７に示すように、これら計７段の反射素面１３１〜１３７のうちの第一反射素面１３１、１３２によってそれぞれ反射された反射光は、光軸Ｃと交差せずに床面Ｆの照射領域Ａ１、Ａ２を照らし、他方、第二反射素面１３４、１３５、１３７によってそれぞれ反射された反射光は、光軸Ｃと交差した後、床面Ｆの照射領域Ａ４、Ａ５、Ａ７を照らすのである。つまり、反射部１２の一の反射面１３に注目したとき、その反射面１３の第一反射素面１３１、１３２による反射光は、その反射面１３と同じ側の床面を照らすのに対し、第二反射素面１３４、１３５、１３７よる反射光は、光軸Ｃを挟んでその反射面１３とは反対側の床面を照らす。
【００１４】
なお、本実施形態において、取付部１１側から数えて３番目の反射素面１３３による反射光は、さらに他の反射素面によって反射された後、照射される。また、取付部１１側から数えて６番目の反射素面１３６による反射光は、光軸Ｃとより大きな角度で交差してより遠くの照射領域Ａ６を照らす。また、図７中、符号Ｄは、光源２の直接光が床面を照らす角度範囲を示している。これらの第一反射素面および第二反射素面の形状、大きさ、傾斜角度等は、設置すべき天井の高さや照明領域の大きさ等に応じて適宜設定することができる。
【００１５】
また、本実施形態の反射部１２は、アルミ板材から構成されており、各反射面１３は、アルミ板材の表面にチタン・シリコンがコーティングされて鏡面として形成されている。本実施形態の反射部１２は、複数の反射素面同士が横方向（光軸Ｃを囲む方向）に一体に連結されて成る扇状の帯板材を複数形成し、これら複数の帯板材同士を縦方向（光軸Ｃの方向）にリベット等で接合することによって構成されている。なお、この反射部１２を、複数の反射素面同士が縦方向（光軸Ｃの方向）に一体に連結されて成る縦長の帯板材を複数形成し、これら複数の帯板材同士を、横方向（光軸Ｃを囲む方向）にリベット等で接合することによって構成してもよい。
【００１６】
図１に示すように、光源２は、上記反射笠１の取付部１１に支持具３を介して取り付けられている。本実施形態では、光源２として、メタルハロゲンランプから成る点状光源を使用している。光源２として、この他、水銀ランプ、蛍光ランプ、キセノンランプ等の各種のランプを採択することができる。また、いわゆる電球形蛍光灯も使用することができる。この光源２の種類、形状、大きさ等に応じて、最適な支持具３を適宜、反射笠１の取付部１１に固定し、この支持具３を介して光源２を反射笠１に取り付ける。
【００１７】
このように本実施形態の反射笠１及び照明装置１０によれば、その反射部１２が光源２の光軸Ｃを囲んで並ぶ３以上の奇数の反射面１３を備えるとともに、各反射面１３が、反射光を光軸Ｃと交差させずに照射する第一反射素面（１３１、１３２）と、反射光を光軸Ｃと交差させて照射する第二反射素面（１３４、１３５、１３７）とを備えているので、これら反射素面による反射光をより効果的に分散させることができ、たとえ反射面の面数が少なくても、床面等を均一に照らすことができる。即ち、本実施形態の反射笠１によれば、図８（ａ）（ｂ）に示すように、注目する一の反射面１３の第二反射素面１３７による反射光（照射領域Ａ７）によって、その一の反射面１３の反対側の他の二つの反射面１３の第一反射素面１３１による反射光の照射領域Ａ１’・Ａ１’の隙間を照らすことが可能となり、床面Ｆをより均一に照らすことができるのである。なお、図８においては、図面の輻輳を避けるため、反射部１２の計２１面の反射面１３を、その３分の１の計７面の反射面１３で代表させ、さらに各反射面１３において複数の第一反射素面および複数の第二反射素面をそれぞれ、一つの第一反射素面１３１及び一つの第二反射素面１３７で代表させている（図８（ａ）参照）。
【００１８】
図９は、反射面１３の面数を偶数（６面、８面）とした場合の比較例の照射領域を図示したものである。図９（ａ）（ｂ）から明かなように、反射面１３の面数を偶数とした場合、注目する一の反射面１３の第二反射素面１３７による反射光の照射領域Ａ７と、その一の反射面１３の反対側の他の反射面１３の第一反射素面１３１による反射光の照射領域Ａ１’とが重なり合ってしまい、これらの反射光によって床面Ｆを均一に照らすことができない。図９（ｂ）に示すように、反射面１３の面数を、上記実施形態における計７面よりも多くして計８面とした場合であっても、その面数が偶数である限り、反射光の照射領域同士が重なり合うこととなり、床面Ｆを均一に照らすことができない。
【００１９】
また、本実施形態の反射笠１及び照明装置１０によれば、その反射面１２が、複数の第一反射素面（１３１、１３２）と、複数の第二反射素面（１３４、１３５、１３７）とを備えているので、より多くの反射光を分散させて床面等へ照射することができ、床面等をより均一に照らすことが可能となる。
【００２０】
以上、本実施形態の反射笠１及び照明装置１０について説明したが、本発明はその他の形態でも実施することができる。
【００２１】
例えば、上記実施形態では、固定具３の上端部に、反射笠１を天井に吊り下げるための吊下具４を設けているが、吊下具４の代わりに、反射笠１を天井に埋め込み設置するための埋込具を設けるようにしてもよい。また、上記実施形態では、反射笠１を覆うセード５を設けているが、必ずしもセード５を設ける必要はない。照明装置の設置状況等に応じて種々の設計変更が可能である。
【００２２】
また、本発明はその趣旨を逸脱しない範囲内で、当業者の知識に基づいて種々の改良、修正、変形を加えた態様で実施し得るものである。同一の作用又は効果が生じる範囲内でいずれかの発明特定事項を他の技術に置換した形態で実施しても良く、また、一体に構成されている発明特定事項を複数の部材から構成したり、複数の部材から構成されている発明特定事項を一体に構成した形態で実施してもよい。
【図面の簡単な説明】
【００２３】
【図１】本実施形態の照明装置の一部断面概略正面図である。
【図２】本実施形態の反射笠の正面図である。
【図３】本実施形態の反射笠の左側面図である。
【図４】本実施形態の反射笠の背面図である。
【図５】本実施形態の反射笠の平面図である。
【図６】本実施形態の反射笠の底面図である。
【図７】本実施形態の照明装置の反射面による反射光の床面に対する照射領域を示す説明図である。
【図８】本実施形態の照明装置の代表する反射面による反射光の床面に対する照射領域を示す説明図である。
【図９】反射笠の反射面を偶数とした場合の比較例の照射領域を示す説明図であり、同図（ａ）は反射面を６枚とした場合の説明図であり、同図（ｂ）は反射面を８枚とした場合の説明図である。
【符号の説明】
【００２４】
１０  照明装置
１  反射笠
１１  取付部
１２  反射部
１３  反射面
１３１、１３２  第一反射素面
１３４、１３５、１３７  第二反射素面
２  光源
Ｃ  光軸
Ａ１〜Ａ７  照射領域
Ｆ  床面
【図１】
2010092612.tif 000003
【図２】
2010092612.tif 000004
【図３】
2010092612.tif 000005
【図４】
2010092612.tif 000006
【図５】
2010092612.tif 000007
【図６】
2010092612.tif 000008
【図７】
2010092612.tif 000009
【図８】
2010092612.tif 000010
【図９】
2010092612.tif 000011